(57)【要約】【課題】遊技機の外枠が非木製であっても、遊技機を傷つけることなく一纏めに連ならせることができて、効率的に配送することが可能な遊技機を提供する。【解決手段】遊技機としてのパチンコ機１１の外枠１２の天板１２ａに、上向き挿入係止孔１２ａ１を形成すると共に、挿入係止孔１２ａ１に挿入且つ係止可能な固定治具３２或いは３３又は両方を用いて隣接配置されたパチンコ機１１同士をほぼ横向き、或いはほぼ直交した形態で着脱可能に連結固定する。【選択図】図３
2007229234.tif 000002
【特許請求の範囲】
【請求項１】
筐体をなす外枠を有する遊技機において、
前記遊技機は、前記外枠に挿入係止孔が形成されていると共に、前記挿入係止孔に挿入可能且つ係止可能な複数の挿入係止片を有する挿入係止部材によって隣接配置された遊技機と着脱可能に固定されることを特徴とする遊技機。
【請求項２】
前記挿入係止部材の複数の挿入係止片は、前記挿入係止孔に挿入された状態にあっては挟圧力を発生させることを特徴とする請求項１に記載の遊技機。
【請求項３】
前記挿入係止部材は、前記隣接配置された遊技機同士をほぼ横向き、或いはほぼ直交した形態で連結することを特徴とする請求項１又は２に記載の遊技機。
【発明の詳細な説明】
【技術分野】
【０００１】
この発明は、パチンコ機等の遊技機に関し、さらに詳しくは、製品製造工場等から輸送トラックによって配送される遊技機に関する。
【０００２】
従来、パチンコ機等の遊技機は、製品製造工場において組み立てが終了すると、流通業者の輸送トラックによって販社、遊技場等に向けて配送される。
【０００３】
配送時における遊技機は、数量、配送先等に応じて、１個ずつ専用の段ボール箱に納める箱入りタイプ（例えば、特許文献１参照）、或いは、図５に示されるように、複数の遊技機１の天板２を釘打ちした桟（例えば、左右２つの角材）３で連結固定する天板つなぎタイプのうちいずれかのタイプによって配送されていた。
【０００４】
【特許文献１】特開２０００−４３１６０号公報
【発明の開示】
【発明が解決しようとする課題】
【０００５】
しかしながら、段ボール箱を用いて輸送した場合、遊技島と呼ばれる枠台に設置するため段ボール箱から遊技機を取り出してしまうと段ボール箱は不要となるため、その空き箱の処分に困ってしまうという問題があった。
【０００６】
また、遊技機は、環境、資源面を考慮して外枠（天板）が非木製、例えば合成樹脂や金属系に徐々に切り替わっていくことが想定されているが、天板が非木製となると、桟を釘打ち固定する天板つなぎタイプによって配送することはできないという問題が発生する。
【０００７】
そこで、この発明は、上記した従来技術が有している問題点を解決するためになされたものであって、遊技機の外枠が非木製であっても、遊技機を傷つけることなく一纏めに連ならせることができて、効率的に配送することが可能な遊技機を提供することを目的とする。
【０００８】
上記目的を達成するため第１の発明は、筐体をなす外枠を有する遊技機において、
前記遊技機は、前記外枠に挿入係止孔が形成されていると共に、前記挿入係止孔に挿入可能且つ係止可能な複数の挿入係止片を有する挿入係止部材によって隣接配置された遊技機と着脱可能に固定されることを特徴とする。
【０００９】
上記目的を達成するため第２の発明は、第１の発明の構成に加えて、前記挿入係止部材の複数の挿入係止片は、前記挿入係止孔に挿入された状態にあっては挟圧力を発生させることを特徴とする。
【００１０】
第１、第２の発明によれば、遊技機は、外枠に形成された挿入係止孔に挿入係止部材の挿入係止片が挿入されると、挿入係止片の挟圧力によって隣接配置された遊技機と着脱可能に固定する。これにより、遊技機の外枠が合成樹脂や金属系の非木製であっても複数の遊技機を効率よくひとまとめに連ならせることができるようになる。さらには、輸送トラックの大きさに応じて遊技機の連結形態を容易に変化できるので、輸送トラックにて配送を行う場合に好適である。さらには、遊技機と挿入係止部材との着脱が容易であるため、輸送トラックにて配送する際の遊技機の積み降ろし時間を短縮化することができるだけでなく、所望する遊技機のみを手早く取り外すことがことができるようになる。また、挿入係止部材は何度も繰り返し使用することができるので、経済性のみならず、環境、資源面でも優れた効果を発揮する。
【００１１】
上記目的を達成するため第３の発明は、第１又は第２の発明において、前記挿入係止部材は、前記隣接配置された遊技機同士をほぼ横向き、或いはほぼ直交した形態で固定することを特徴とする。
【００１２】
第３の発明によれば、挿入係止部材は、隣接配置された遊技機をほぼ横向き、或いはほぼ直交させた状態で固定するので、第１、第２の発明の作用効果に加えて、複数の遊技機を効率良く連ならせることができると共に、遊技機の前面パネル及び背面側の基板等に殆ど傷をつけないようにすることができる。
【発明の効果】
【００１３】
本発明の遊技機によれば、遊技機の外枠に形成された挿入係止孔に、挟圧力を発生するように形成された挿入係止部材の挿入係止片を挿入することによって、隣接配置された遊技機同士が着脱可能に固定される。これにより、遊技機の外枠が合成樹脂や金属系の非木製であっても、遊技機を傷をつけることなく、ひとまとめに連ならせることができる。しかも、遊技機と挿入係止部材との脱着が容易なので、遊技機を効率的に配送することができるようになる。
【発明を実施するための最良の形態】
【００１４】
以下、本発明の実施形態の遊技機としてのパチンコ機について図面を用いて説明する。図１は、パチンコ機の正面図、図２は、図１の背面図である。
【００１５】
まず、遊技機としてのパチンコ機の概略構成について説明する。
図１に示されるように、遊技機としてのパチンコ機１１は、パチンコ機全体の筐体をなす外枠１２、遊技盤保持枠１３、前面パネル１４等で構成されている。遊技盤保持枠１３は、遊技盤１６を有して、外枠１２に回転可能に設けられている。前面パネル１４は、遊技盤保持枠１３を開閉できるように、外枠１２に回転自在に設けられている。さらに、この前面パネル１４には、遊技盤１６を覆うガラスを有して遊技盤１６を開閉するガラス枠１８、遊技球としてのパチンコ球を発射する発射装置３１及びこの発射装置を操作する発射ハンドル４１を設けてある皿ユニット１９等が備えられている。
【００１６】
遊技盤１６の前面には、液晶からなる特別図柄表示画面２２を有するエスカッション２０、複数の入賞口１５、特別入賞口１７、いずれの入賞口１５，１７にも入らなかったアウト球を遊技盤１６から排出するアウト口２１、図示しない障害釘等が備えられている。特別図柄表示画面２２は、遊技盤１６のほぼ中央に位置してエスカッション２０の開口２０ａから露出するように設けられている。
【００１７】
図２に示されるように、パチンコ機１１の背面側には、遊技島に設置してある貯留装置から一度に多数のパチンコ球が送り込まれても受け止めることのできる賞球タンク２３、この賞球タンク２３から流出する賞球を案内する横案内路２４及び図示しない縦案内路、表側に特別図柄表示画面２２を備えた液晶ユニット２５、サブ制御基板２６、パチンコ機全体を制御する主制御基板２７、パチンコ機全体の電源となる電源ユニット２８、賞球の払い出し制御を行う払い出し制御基板２９、発射装置３１を発射制御する発射制御基板３０等が備えられている。
【００１８】
主制御基板２７は、パチンコ機全体を制御するため、パチンコ機１１の動作全体を管理するシステムプログラム及び遊技用の実行プログラムが予め記憶された半導体メモリ等からなる記憶部、これらのプログラムを実行するマイクロプロセッサ（ＭＰＵ）を備えている。
【００１９】
次に、本発明の第１の実施形態に係るパチンコ機について図３を用いて説明する。図３は、本発明の第１の実施形態に係るパチンコ機の外枠と挿入係止部材とを示した斜視図である。
【００２０】
まず、パチンコ機１１の外枠１２について説明する。
図３に示されるように、外枠１２は、上下左右に方形枠状となるように連結されたいずれも非木製（例えば合成樹脂や金属系）の上側枠としての天板１２ａ、下側枠１２ｂ、左側枠１２ｃ、右側枠１２ｄとを備えている。天板１２ａ及び下側枠１２ｂには、外枠１２を遊技島に取り付け固定するための取付孔（図示せず）が穿設されている。さらに、天板１２ａの左右肩部には、上向きに開口した挿入孔１２ａ１，１２ａ１が穿設されている。
【００２１】
挿入係止部材としての固定治具３２は、図３に示されるように、下向きコ字状に形成されているものであって、上面側に把持部３２ａ、下面側に一対の挿入係止片３２ｂ，３２ｂを備えている。把持部３２ａは、この固定治具３２をパチンコ機１１の挿入孔１２ａ１に対して挿抜する際に用いられる。
【００２２】
一方、挿入係止片３２ｂ，３２ｂは、肩部と肩部とが接して横並びとなるように隣接配置された２つのパチンコ機１１，１１の隣り合った左右の挿入孔１２ａ１，１２ａ１に跨った状態で挿抜可能、且つ係止可能となるようにほぼ並行して形成されているものであって、挿入孔１２ａ１，１２ａ１に挿入された状態にあっては内側（対向面内のこと）に向かった挟圧力を発生して、横並びとなるように隣接配置された２つのパチンコ機１１，１１を固定するようになっている。
【００２３】
次に、本実施形態に係るパチンコ機１１に固定治具３２を着脱する手順について図３を用いて説明する。
【００２４】
まず、図３に示されるように、肩部と肩部とが接合するように複数のパチンコ機１１を横並びさせる。そして、肩部と肩部との接合位置の上方に固定治具３２を配置させ、挿入係止片３２ｂ，３２ｂを下方側の隣り合った左右の挿入孔１２ａ１，１２ａ１に対向配置すると共に、挿入係止片３２ｂ，３２ｂを隣り合った左右の挿入孔１２ａ１，１２ａ１にそれぞれ挿入させる。すると、挿入係止片３２ｂ，３２ｂは、挿入孔１２ａ１，１２ａ１内に挿入された状態にあっては互いに内側に向かった挟圧力を発生することにより、隣接配置された２つのパチンコ機１１，１１の肩部間は固定治具３２によって固定される。
【００２５】
また、挿入係止片３２ｂが挿入されていない他方の肩部の挿入孔１２ａ１についても、同様に、隣接したパチンコ機１１の挿入孔１２ａ１との間に跨るように固定治具３２の挿入係止片３２ｂ，３２ｂをそれぞれ挿入することによって隣接するパチンコ機１１と固定する。
【００２６】
そして、このような作業をその他のパチンコ機１１についても順次繰り返していくことによって、パチンコ機１１の外枠１２が合成樹脂や金属系の非木製であっても、複数の固定治具３２によって複数のパチンコ機１１を横並びに効率よくひとまとめに連ならせることができるようになる。また、横並びに連ならせるため、パチンコ機１１の前面パネル１４や背面側のサブ基板２６等に傷がつくようなことは殆どない。さらには、輸送トラックの大きさに応じてパチンコ機１１の連結形態を容易に変化できるので、輸送トラックにて配送を行う場合に好適である。
【００２７】
一方、パチンコ機１１から固定治具３２を取り外す場合には、取り外そうとするパチンコ機１１を左右隣から固定している固定治具３２の把持部３２ａを握りながら抜出することによって、両隣のパチンコ機１１との固定が解除される。そこで、固定が解除されたパチンコ機１１を取り外すことができる。このように、パチンコ機１１と連結治具３２との着脱は容易であるため、輸送トラックにて配送する際のパチンコ機１１の積み降ろし時間を短縮化することができるだけでなく、所望するパチンコ機のみを手早く取り外すことがことができるようになる。また、固定治具３２は何度も繰り返し使用することができるので、経済性のみならず、環境、資源面でも優れた効果を発揮する。
【００２８】
次に、本発明の第２の実施形態に係るパチンコ機１１について図４を用いて説明する。図４は、本発明の第２の実施形態に係るパチンコ機の外枠と挿入係止部材とを示した斜視図である。
【００２９】
なお、上述した第１の実施形態に係るパチンコ機と同様の構成については同一の符号を伏し、ここでの構成及び作用に関する説明は省略するものとする。
【００３０】
この第２の実施形態にあっては、第１の実施形態で用いた固定治具３２に代えて、隣接するパチンコ機１１の肩部同士をほぼ直交する形態で固定する挿入係止部材としての固定治具３３が用いられる。なお、第１の実施形態で用いた外枠１２はそのままの形態で使用される。
【００３１】
具体的には、固定治具３３の上面側に把持部３３ａ、下面側に一対の挿入係止片３３ｂ，３３ｂを備えている。把持部３３ａは、この固定治具３３をパチンコ機１１の挿入孔１２ａ１に対して挿抜する際に用いられる。
【００３２】
一方、挿入係止片３３ｂ，３３ｂは、肩部と肩部とがほぼ直交するように隣接配置された２つのパチンコ機１１，１１の隣り合った左右の挿入孔１２ａ１，１２ａ１に跨った状態で挿抜可能、且つ係止可能となるように、片方が約９０度回転した状態で形成されているものであって、挿入孔１２ａ１，１２ａ１に挿入された状態にあっては互いに引き合うように作用する挟圧力を発生して、肩部がほぼ直交するように隣接配置された２つのパチンコ機１１，１１を固定するようになっている。
【００３３】
次に、本実施形態に係るパチンコ機１１に固定治具３３を着脱する手順について図４を用いて説明する。
【００３４】
まず、図４に示されるように、肩部と肩部とがほぼ直交するように複数のパチンコ機１１を配設する。基本的には、４個のパチンコ機１１を用いて平面視矩形状となるように配設する。なお、この状態にあっては、外側に前面パネル１４が向くようにするのが好ましいが、これに限定されるものではない。そして、肩部と肩部との接合位置の上方に固定治具３３を配置させ、挿入係止片３３ｂ，３３ｂを下方側の隣り合った左右の挿入孔１２ａ１，１２ａ１に対向配置すると共に、挿入係止片３３ｂ，３３ｂを隣り合った左右の挿入孔１２ａ１，１２ａ１にそれぞれ挿入させる。すると、挿入係止片３３ｂ，３３ｂは、挿入孔１２ａ１，１２ａ１内に挿入された状態にあっては互いに引き合う挟圧力を発生することにより、隣接配置された２つのパチンコ機１１，１１の肩部間は固定治具３３によって固定される。
【００３５】
また、残りの３つの肩部と肩部との間についても、同様に固定治具３３の挿入係止片３３ｂ，３３ｂを隣接するパチンコ機１１の各挿入孔１２ａ１にそれぞれ挿入することによってパチンコ機１１を固定することによって、第１の実施形態と同様に、パチンコ機１１の外枠１２が合成樹脂や金属系の非木製であっても、固定治具３３によって複数のパチンコ機１１を効率よくひとまとめに連ならせることができるようになる。
【００３６】
一方、パチンコ機１１を取り外す場合には、取り外そうとするパチンコ機１１を左右両側から固定している各固定治具３３の把持部３３ａを掴みながら嵌合部１２ａ１，１２ａ１から抜出することによって、ひとまとめに連なったパチンコ機１１から所望のパチンコ機１１を取り出すことができる。
【００３７】
以上説明したように本発明によれば、パチンコ機１１は、外枠１２の天板１２ａに形成された挿入係止孔１２ａ１に固定治具３２、或いは３３の挿入係止片３２ａ，３２ａ、或いは３３ａ，３３ａが挿入されると、挿入係止片３２ａ，３２ａ、或いは３３ａ，３３ａの挟圧力によって隣接配置されたパチンコ機１１と着脱可能に連結する。これにより、パチンコ機１１の外枠１２が合成樹脂や金属系の非木製であっても複数のパチンコ機１１を効率よくひとまとめに連ならせることができるようになる。さらには、輸送トラックの大きさ応じてパチンコ機１１の連結形態を容易に変化できるので、輸送トラックにて配送を行う場合に好適である。さらには、パチンコ機１１と固定治具３２、或いは３３との着脱が容易であるため、輸送トラックにて配送する際のパチンコ機１１の積み降ろし時間を短縮化することができるだけでなく、所望するパチンコ機１１のみを手早く取り外すことがことができるようになる。また、固定治具３２、或いは３３は何度も繰り返し使用することができるので、経済性のみならず、環境、資源面でも優れた効果を発揮する。
【００３８】
また、本発明によれば、固定治具３２、或いは３３は、隣接配置されたパチンコ機１１をほぼ横向き、或いはほぼ直交させた状態で固定するので、複数のパチンコ機１１を効率良く連ならせることができると共に、パチンコ機１１の前面パネル１４及び背面側のサブ制御基板２６等に殆ど傷をつけないようにすることができる
【００３９】
なお、固定治具３２或いは３３は、合成樹脂、金属系の非木製であるが、それに限定されるものではなく、勿論、木製であってもよい。
【００４０】
また、上述した実施形態にあっては、固定治具３２のみ、或いは固定治具３３のみを用いて複数のパチンコ機１１を連結固定するようにしたが、これに限定されるものではなく、固定治具３２と固定治具３３とを併用して複数のパチンコ機１１を連結固定することが可能である。
【図面の簡単な説明】
【００４１】
【図１】パチンコ機の正面図である。
【図２】図１の背面図である。
【図３】本発明の第１の実施形態に係るパチンコ機の外枠と挿入係止部材とを示した斜視図である。
【図４】本発明の第２の実施形態に係るパチンコ機の外枠と挿入係止部材とを示した斜視図である。
【図５】従来の遊技機の搬送方法の一例を示した側面図である。
【符号の説明】
【００４２】
１１      パチンコ機（遊技機）
１２      外枠
１２ａ    天板（上側枠）
１２ａ１  挿入係止孔
３２      固定治具（挿入係止部材）
３２ｂ    挿入係止片
３３      固定治具（挿入係止部材）
３３ｂ    挿入係止片
【図１】
2007229234.tif 000003
【図２】
2007229234.tif 000004
【図３】
2007229234.tif 000005
【図４】
2007229234.tif 000006
【図５】
2007229234.tif 000007